(57)【特許請求の範囲】
【請求項１】
有機エレクトロルミネセンス層とこれをはさむ電極によって構成されるランプを負荷とし、これに商用電源を直流に変換した電流を印加して有機エレクトロルミネッセンス層を発光させる面状発光モジュール点灯回路において、
商用電源から低電圧の正弦波である交流電源へ変換する第１のコンバータ回路と、
低電圧の交流電源を直流電源に変換する第２のコンバータ回路と、を照明装置に搭載することを特徴とする面状発光モジュール点灯回路。
【請求項２】
請求項１に記載の面状発光モジュール点灯回路によって有機エレクトロルミネッセンスランプを点灯させる照明装置。
【発明の詳細な説明】
【技術分野】
【０００１】
本発明は、面状発光モジュール点灯回路及び照明装置に関し、特に、低電圧の交流電源を配線することによって極性によらず結線が可能となり、施工性を向上させることができる面状発光モジュール点灯回路及び照明装置に関する。
【背景技術】
【０００２】
図７は、従来の有機エレクトロルミネセンスランプの点灯装置の例を示す。従来の有機エレクトロルミネッセンスランプの点灯装置では、直流電源１１をランプ電流制御回路１８によって有機エレクトロルミネッセンスランプ１５に供給する。抵抗（R1）１４によって、電圧値として検出されるランプ電流Ilaと、ランプに定格電流を供給するようあらかじめ設定されるIla基準値１７とが等しくなるように、これらの比較結果に基づいてスイッチ（Tr1）１２が制御される。
【０００３】
直流電源１１は例えば図８に示す降圧チョッパなどのコンバータによって商用電源２１を降圧して得られる。すなわち、この降圧チョッパは、商用電源２１を直流に変換する整流器２２と、整流器２２によって変換された直流電圧を断続するトランジスタ・スイッチ２３と、トランジスタ・スイッチ２３のベースにパルス幅制御信号を供給してトランジスタ・スイッチ２３のオンオフ期間を制御するチョッパ制御回路２７と、トランジスタ・スイッチ２３のオフ期間に転流電流を流すフライホイール・ダイオード２４と、直流電流を平滑化するインダクタ２５およびコンデンサ２６とを有する（例えば、特許文献１参照）。
【特許文献１】特開２００７−１２２９８１号公報
【発明の開示】
【発明が解決しようとする課題】
【０００４】
しかしながら、上記従来の有機エレクトロルミネッセンスランプの点灯装置では、一般的に絶縁距離、耐電圧の確保のためにコンバータが大きくなる。また、複数の照明装置を使用するにあたっては、このコンバータを照明装置ごとに設けているため、一台ごと大きなサイズの照明装置となる。さらに、照明装置までの配線が商用電源であるため、電源の配線作業において、工事資格が必要となるなど施工性が悪い。
【０００５】
一方、コンバータとランプ電流制御回路をランプから別置し、直流電源線を配線してランプに電流を供給する手法もあるが、配線長が長くなると、モジュールへの印加電圧が配線の抵抗によって下がってしまい、所望の電流を供給できないことがある。
【０００６】
また、モジュールと商用電源から点灯出力に変換するAC/DCコンバータを一体化して照明器具とすると、AC/DCコンバータのサイズが大きいためデザイン性を損ねるが、デザイン性を上げるためモジュールを電源から距離をおいて設置したい場合、AC/DCコンバータから出力線を延ばしてモジュールを設置すると配線長が長くなるので、電圧降下によりモジュールに印加される電圧が減少する。さらに、配線に極性があるため、極性を入れ替えると点灯しない。
【０００７】
本発明は、前記実情に鑑みてなされたものであって、低電圧の交流電源を配線することによって極性によらず結線が可能となり、施工性を向上させることができる面状発光モジュール点灯回路及び照明装置を提供することを目的とする。
【課題を解決するための手段】
【０００８】
本発明の面状発光モジュール点灯回路は、有機エレクトロルミネセンス層とこれをはさむ電極によって構成されるランプを負荷とし、これに商用電源を直流に変換した電流を印加して有機エレクトロルミネッセンス層を発光させる面状発光モジュール点灯回路において、商用電源から低電圧の正弦波である交流電源へ変換する第１のコンバータ回路と、低電圧の交流電源を直流電源に変換する第２のコンバータ回路と、を照明装置に搭載することを特徴とする。
【０００９】
上記構成によれば、照明装置は、商用電源から低電圧の正弦波である交流電源へと変換する第１のコンバータ回路と、低電圧の交流電源を直流電源に変換する第２のコンバータ回路とを搭載するので、交流電源を配線することによって極性によらず結線が可能となり、施工性を向上させることができる。また、上記構成によれば、第１のコンバータ回路から出力される低電圧の交流電源が正弦波であるので、極性によらず結線が可能となり施工性を向上させることができるとともに、絶縁距離および耐電圧の確保が容易となり、面状発光モジュール点灯回路を小型化することができる。なお、この低電圧の交流電源は36V以下であれば有機エレクトロルミネッセンス装置の点灯電圧であるため、作業性が良好となる。
【００１４】
また、本発明の照明装置は、上記面状発光モジュール点灯回路によって有機エレクトロルミネッセンスランプを点灯させる照明装置であることを特徴とする。
【００１５】
上記構成によれば、低電圧の正弦波である交流電源を配線することによって極性によらず結線が可能となり、施工性を向上させることができるとともに、絶縁距離および耐電圧の確保が容易となり、照明装置を小型化することができる。
【発明の効果】
【００１６】
以上説明したように、本発明にかかる面状発光モジュール点灯回路及び照明装置によれば、商用電源から低電圧の正弦波である交流電源へと変換する第１のコンバータ回路と、低電圧の交流電源を直流電源に変換する第２のコンバータ回路とを搭載するので、交流電源を配線することによって極性によらず結線が可能となり、施工性を向上させることができる。また、絶縁距離および耐電圧の確保が容易となり、面状発光モジュール点灯回路及び照明装置を小型化することができる。
【発明を実施するための最良の形態】
【００１７】
まず、本発明の実施形態にかかる面状発光モジュール点灯回路の概要を説明する。本実施形態の面状発光モジュール点灯回路は、商用電源から低電圧のAC電源へと変換する第1のコンバータを別置し、照明器具はモジュールと低圧のAC電源を直流に変換する第2のコンバータを搭載する。この場合、低電圧のAC電源をAC36V以下としてもよく、低電圧のAC電源を正弦波としてもよい。また、低電圧のAC電源を矩形波としてもよい。本実施形態によれば、交流電源を配線することによって、極性によらず結線が可能となり、施工性も向上する。
【実施例１】
【００１８】
図１は、本発明の実施例１にかかる面状発光モジュール点灯回路の第１のコンバータ３２を示す。本実施例の第１のコンバータ３２はトランスで構成する。すなわち、交流１００Ｖを生成する商用電源３１に、第１のコンバータ３２として例えば巻数比が３：１のトランスを接続し、トランスにより交流３３Ｖの低電圧に変換する。そして、低電圧の交流３３Ｖを第2のコンバータへ配線により供給する。
【００１９】
図２は、本発明の実施例１にかかる面状発光モジュール点灯回路の第２のコンバータ４７を示す。第２のコンバータ４７は、降圧チョッパ回路で構成される。降圧チョッパ回路は入力された交流電源をランプ負荷の点灯に必要な電圧を供給できる直流電圧を出力する。この電圧を図７に示すランプ電流制御回路１８によって負荷に供給する。
【００２０】
図２に示すように、本実施例の第２のコンバータ４７は、第１のコンバータ３２から供給される低電圧の交流３３Ｖを直流に変換する整流器４１と、整流器４１により変換された直流電圧を断続するトランジスタ・スイッチ４２と、トランジスタ・スイッチ４２のベースにパルス幅制御信号を供給してトランジスタ・スイッチ４２のオンオフ期間を制御する制御回路４６と、トランジスタ・スイッチ４２のオフ期間に転流電流を流すフライホイール・ダイオード４３と、直流電流を平滑化するインダクタ４４およびコンデンサ４５とを有する。
【００２１】
なお、ランプの点灯に必要な電圧が第1のコンバータ３２の出力電圧、すなわち第2のコンバータ４７への入力電圧を超える場合は、第2のコンバータ回路４７は降圧チョッパではなく、昇圧チョッパ回路とすればよい。あるいはいずれの場合も昇降圧チョッパ回路を用いてもよい。
【００２２】
図３は、本実施例にかかる面状発光モジュール点灯回路の全体回路を示す。本実施例の面状発光モジュール点灯回路は、交流１００Ｖを低圧の交流３３Ｖに変換する第１のコンバータ３２と、第１のコンバータ３２に配線４８で接続され、低圧の交流電圧３３Ｖを有機エレクトロルミネッセンスランプ１５駆動用の直流電圧に変換する第２のコンバータ部４７と、有機エレクトロルミネッセンスランプ１５に流れるランプ電流Ilaを検出する抵抗（R1）１４と、ランプ電流IlaのIla基準値１７と、検出したランプ電流IlaとIla基準値１７を比較し、トランジスタ・スイッチ４２を駆動するコンパレータ１６とを有する。
【００２３】
このように本実施例にかかる面状発光モジュール点灯回路によれば、商用電源３１から低電圧のＡＣ３３Ｖへ変換する第1のコンバータ３２を別置し、照明器具はモジュールと低圧のＡＣ３３Ｖを直流に変換する第2のコンバータ４７を搭載し、第1のコンバータ３２と第2のコンバータ４７間を交流の配線４８で接続するので、極性によらず結線が可能となり、施工性を向上させることができる。
なお、本実施例によれば、３６Ｖ以下に設定することで、無資格者（工事士）以外が配線施工できるようになる。
【実施例２】
【００２４】
図４は、本発明の実施例２にかかる面状発光モジュール点灯回路の第１のコンバータ５０を示す。本実施例では、第１のコンバータ５０を降圧チョッパ回路およびスイッチ素子で構成する。スイッチ素子Tr2（５７）〜Tr5（６０）は、スイッチ素子Tr2（５７）とスイッチ素子Tr5（６０）、またスイッチ素子Tr3（５８）とスイッチ素子Tr4（５９）のペアがたすきがけで交互にｏｎ／ｏｆｆをくりかえし、出力端に矩形波を得る。
【００２５】
すなわち、商用電源５１から供給される交流１００Ｖは、整流器５２で整流され直流電圧となる。整流器５２で整流され直流電圧は、スイッチング・トタンジスタ（Tr1）５３で断続され、平滑フィルターを構成するインダクタ５５およびコンデンサ５６で低電圧の直流電圧に変換される。コンデンサ５６に蓄積された電荷は、スイッチ素子Tr4（５９）およびスイッチ素子Tr3（５８）がオンとなる期間には接続される第２のコンバータ回路に順方向の電流（正の矩形波）を供給し、スイッチ素子Tr2（５７）およびスイッチ素子Tr5（６０）がオンとなる期間には第２のコンバータ回路に逆方向の電流（負の矩形波）を供給する。
【００２６】
第２のコンバータ回路は図２と同様の降圧チョッパ回路で構成する。すなわち、この降圧チョッパ回路は、第１のコンバータ５０から入力される矩形波をランプ負荷の点灯に必要な電圧を供給できる直流電圧を出力する。この電圧を図７に示すランプ電流制御回路１８によって負荷に供給する。
【００２７】
図５は、本実施例にかかる面状発光モジュール点灯回路の全体回路を示す。本実施例の面状発光モジュール点灯回路は、交流１００Ｖを低圧の矩形波に変換する第１のコンバータ５０と、第１のコンバータ５０に配線６１で接続され、低圧の矩形波を有機エレクトロルミネッセンスランプ１５駆動用の直流電圧に変換する第２のコンバータ部４７と、有機エレクトロルミネッセンスランプ１５に流れるランプ電流Ilaを検出する抵抗（R1）１４と、ランプ電流IlaのIla基準値１７と、検出したランプ電流IlaとIla基準値１７を比較し、トランジスタ・スイッチ４２を駆動するコンパレータ１６とを有する。
【００２８】
このように本実施例にかかる面状発光モジュール点灯回路によれば、商用電源５１から低電圧の矩形波へ変換する第1のコンバータ５０を別置し、照明器具はモジュールと低圧の矩形波を直流に変換する第2のコンバータ４７を搭載し、第1のコンバータ５０と第2のコンバータ４７間を交流の配線６１によって接続するので、極性によらず結線が可能となり、施工性を向上させることができる。
【実施例３】
【００２９】
図６は、本発明の実施例３にかかる照明装置（システム）の設置例を示す。本実施例にかかる照明装置は、実施例１または実施例２の面状発光モジュール点灯回路における第２のコンバータを複数使用して照明装置（システム）を構成する。本実施例によれば、第１のコンバータを複数の照明装置で共有することが可能である。
【００３０】
すなわち、図６に示すように、第1のコンバータ７２において、交流１００Ｖの商用電源７１を実施例１のように低電圧の交流、または実施例２のように低電圧の矩形波に変換する。そして、第1のコンバータ７２において変換された低電圧の交流または矩形波を複数の第２のコンバータ７３，７６，７９に供給する。
【００３１】
第２のコンバータ７３，７６，７９は、供給された低電圧の交流または矩形波をランプ負荷の点灯に必要な電圧を供給できる直流電圧に変換し、ランプ電流制御回路７４，７７，８０を介して複数の有機エレクトロルミネッセンスランプ７５，７８，８１を制御する。
【００３２】
このように本実施例にかかる面状発光モジュール点灯回路によれば、商用電源７１から低電圧の交流または矩形波へ変換する第1のコンバータ７２を別置し、照明器具はモジュールと低圧の交流または矩形波を直流に変換する第2のコンバータ７３，７６，７９を搭載するので、交流を配線することによって極性によらず結線が可能となり、施工性を向上させることができる。また、第１のコンバータ７２を複数の照明装置で共有するので、照明装置の構成を簡素化することができる。
なお、本発明の実施の形態では、有機エレクトロルミネッセンスランプについて説明したが、これに限定されることなく、無機エレクトロルミネッセンスランプなど適宜の光源から選択可能である。
【産業上の利用可能性】
【００３３】
本発明は、低電圧の交流電源を配線することによって極性によらず結線が可能となり、施工性を向上させることができる面状発光モジュール点灯回路及び照明装置として利用可能である。
【図面の簡単な説明】
【００３４】
【図１】本発明の実施例１にかかる面状発光モジュール点灯回路の第１のコンバータ３２を示す図
【図２】本発明の実施例１にかかる面状発光モジュール点灯回路の第２のコンバータ４７を示す図
【図３】本発明の実施例１にかかる面状発光モジュール点灯回路の全体回路を示す図
【図４】本発明の実施例２にかかる面状発光モジュール点灯回路の第１のコンバータ５０を示す図
【図５】本発明の実施例２にかかる面状発光モジュール点灯回路の全体回路を示す図
【図６】本発明の実施例３にかかる照明装置（システム）の設置例を示す図
【図７】従来の有機エレクトロルミネッセンスランプ点灯装置の例を示す図
【図８】従来の有機エレクトロルミネッセンスランプ点灯装置の降圧チョッパの例を示す図
【符号の説明】
【００３５】
１１  直流電源
１２，２３，４２，５３，５７，５８，５９，６０  トランジスタ・スイッチ
１３，２６，４５，５６  コンデンサ
１４  抵抗
１５，７５，７８，８１  有機エレクトロルミネッセンスランプ
１６  コンパレータ
１７  Ila基準値
１８，７４，７７，８０  ランプ電流制御回路
２１，３１，５１，７１  商用電源
２２，４１，５２  整流器
２４，４３，５４  ダイオード
２５，４４，５５  インダクタ
２７  チョッパ制御回路
３２，５０，７２  第１のコンバータ
４７，７３，７６，７９  第２のコンバータ
４８，６１  配線
【図１】
0005294382.tif 000002
【図２】
0005294382.tif 000003
【図３】
0005294382.tif 000004
【図４】
0005294382.tif 000005
【図５】
0005294382.tif 000006
【図６】
0005294382.tif 000007
【図７】
0005294382.tif 000008
【図８】
0005294382.tif 000009